(57)【特許請求の範囲】
【請求項１】
互いに平行に配置して凹凸を形成する複数のレンズを有する印刷媒体を搬送する搬送トレイであって、前記複数のレンズによって形成された凹部に嵌められる凸部が形成された搬送トレイと、
前記搬送トレイが取り付けられるとともに当該搬送トレイの移動方向を直線方向に制限
する移動方向制限部と、
前記移動方向制限部が設置される第１設置部と印刷装置が設置される第２設置部とを備
える設置台であって、前記第１設置部に前記移動方向制限部が設置された状態における前
記移動方向と、前記第２設置部に前記印刷装置が設置された状態における当該印刷装置の
副走査方向と、が一致する設置台と、
を備え、
前記凸部は、複数の半球状の突起によって形成される、
ことを特徴とする搬送補助装置。
【請求項２】
前記第２設置部は、前記印刷装置が設置されることによって当該印刷装置における前記
副走査方向が特定の方向に配向する設置部であり、
前記第１設置部は、前記特定の方向と前記移動方向とを一致させるための角度調整手段
を備える、
請求項２に記載の搬送補助装置。
【請求項３】
前記角度調整手段は、前記移動方向制限部に形成された２カ所以上の穴のそれぞれに対
して挿入される挿入部であって、前記特定の方向に平行な方向に延びる２以上の挿入部を
備える、
請求項２に記載の搬送補助装置。
【請求項４】
前記角度調整手段は、
前記移動方向制限部に形成された穴に対して挿入される挿入部であって、前記第２設置
部に前記印刷装置が設置された状態における当該印刷装置の副走査方向および主走査方向
に対して垂直な方向に延びる挿入部と、
前記移動方向制限部の前記挿入部に対する回転角を任意の角度に設定して固定する固定手段とを備える、
請求項２に記載の搬送補助装置。
【請求項５】
前記複数のレンズはレンチキュラーレンズであり、
前記搬送トレイに形成された前記凸部同士の距離は前記複数のレンズによって形成された凹部同士の距離の整数倍である、
請求項１〜請求項４のいずれかに記載の搬送補助装置。
【請求項６】
前記搬送トレイは平板状であるとともに、おもて面に前記凸部が形成され、うら面に前
記移動方向と平行な方向に延びる突起が形成され、
前記移動方向制限部における前記うら面に対向する面に、前記移動方向に平行な方向に
延びるとともに前記突起に係合する溝が形成されている、
請求項１〜請求項５のいずれかに記載の搬送補助装置。
【発明の詳細な説明】
【技術分野】
【０００１】
本発明は、印刷媒体の搬送を補助するための搬送補助装置に関する。
【背景技術】
【０００２】
従来、複数の凹凸を形成するレンズを有する印刷媒体に記録剤を記録する際に、主走査方向における記録剤の記録位置を高精度に規定するための技術が知られている。例えば、特許文献１には、レンチキュラーレンズを有する印刷媒体を載せる台にレンチキュラーレンズと同形状かつ印刷装置の副走査方向に平行な方向に延びる凹凸を形成し、レンチキュラーレンズと当該凹凸とを噛み合わせながら印刷媒体を搬送することによって印刷媒体を正確に搬送する技術が開示されている。
【先行技術文献】
【特許文献】
【０００３】
【特許文献１】特開２００９−７３６５１号公報
【発明の概要】
【発明が解決しようとする課題】
【０００４】
従来、汎用的な印刷装置に対して印刷媒体が正確に搬送される状態を容易に実現することは困難であった。すなわち、特許文献１に開示された技術においては、印刷媒体を載せる台（シートガイド）に形成された凹凸とレンチキュラーレンズとを噛み合わせながら搬送するために印刷媒体を正確に搬送することが可能である。そして、特許文献１に開示された技術においては、印刷装置の筐体に形成された２カ所のねじ挿通口を利用し、印刷媒体を載せる台をねじによって印刷装置に固定することが可能である。
【０００５】
しかし、このような構成においては、台と印刷装置とが固定される前の状態で、台と印刷装置との双方が自由に移動可能な状態である。また、ねじは一般的に遊びがありねじの挿入方向に自由度がある。さらに、ねじの締めつけ度合いに応じて台と印刷装置との相対位置関係が変動し得る。従って、ねじによって、台上での印刷媒体の搬送方向と印刷装置における副走査方向とを正確に一致させることは困難である。
本発明は、上記課題にかんがみてなされたもので、汎用的な印刷装置に対して印刷媒体が正確に搬送される状態を容易に実現することを目的とする。
【課題を解決するための手段】
【０００６】
上記の目的を達成するため、本発明においては、レンズによって形成された凹部に嵌められる凸部を搬送トレイに形成し、移動方向制限部によって当該搬送トレイの移動方向を直線方向に制限する。さらに、設置台の第１設置部に移動方向制限部が設置され、第２設置部に印刷装置が設置される構成とし、かつ、第１設置部に移動方向制限部が設置された状態における移動方向と、第２設置部に印刷装置が設置された状態における当該印刷装置の副走査方向と、が一致するように構成する。
【０００７】
この構成によれば、移動方向制限部と印刷装置とを設置部に設置した状態で、搬送トレイの移動方向を印刷装置の副走査方向と一致させることができる。また、搬送用トレイ上にはレンズによって形成された凹部を嵌めることが可能な凸部が形成されているため、レンズを有する印刷媒体を搬送トレイ上で正確に位置決めして載置することが可能である。このため、汎用的な印刷装置を本発明にかかる搬送補助装置に設置し、さらに、レンズを有する印刷媒体を搬送トレイ上に載置した状態で搬送トレイを移動させることにより、印刷装置において印刷媒体を搬送する搬送方向である副走査方向に沿って印刷媒体を正確に搬送することが可能になる。
【０００８】
さらに、第１設置部と第２設置部とは、それぞれに対して移動方向制限部と印刷装置とを設置することによって、搬送トレイの移動方向と副走査方向とが一致するように構成されている。従って、汎用的な印刷装置に対して印刷媒体が正確に搬送される状態を容易に実現することが可能である。なお、本発明においては、設置台に対して移動方向制限部と印刷装置とを設置する構成であるため、印刷装置に対して移動方向制限部を接合するためのねじ挿入部が不要である。従って、ねじ挿入部等を備えない汎用的な印刷装置に対して印刷媒体が正確に搬送される状態を実現することが可能である。
【０００９】
ここで、レンズは曲率が０より大きい部分を有するとともに光を屈折させることが可能な透明体によって構成されていれば良く、印刷媒体には当該透明体が接合されるとともに当該印刷媒体には当該透明体において光の進行方向を調整するための凹凸が複数個形成されていればよい。すなわち、搬送トレイに形成された凸部に嵌められることによって搬送トレイ上においてレンズを位置決めすることが可能な凹部がレンズに備えられていればよい。
【００１０】
移動方向制限部は、搬送トレイの移動方向を直線方向に制限する機構を備えていればよい。例えば、溝や棒などの直線状の部位を備える部材と、当該直線状の部位を備える部材に取り付けられて当該直線状の部位が延びる方向に沿って移動可能となっている移動部とによって構成されるリニアガイド等を構成し、当該移動部と搬送トレイとを接合する構成等によって実現可能である。
【００１１】
設置台は、移動方向制限部と印刷装置とを設置可能であるとともに、移動方向制限部と印刷装置とを設置台に設置することによって搬送トレイの移動方向と副走査方向とが一致するように構成されていればよい。例えば、第１設置部においては移動方向制限部の設置位置および設置方向が決められており、第２設置部においては印刷装置の設置位置および設置方向が決められている構成とすればよい。この構成によれば、移動方向制限部と印刷装置との相対位置関係を考慮することなく、単に、設置台に対して移動方向制限部と印刷装置とのそれぞれを設置することによって、搬送トレイの移動方向と副走査方向とを正確に一致させることが可能である。
【００１２】
さらに、印刷媒体が正確に搬送される状態を容易に実現するための構成として、第１設置部に対して移動方向制限部を設置する際に搬送トレイの移動方向を調整できる構成を採用しても良い。例えば、印刷装置が設置されることによって当該印刷装置における副走査方向が特定の方向に配向するように第２設置部を構成し、第１設置部が当該特定の方向と搬送トレイの移動方向とを一致させるための角度調整手段を備えるように構成する。この構成によれば、角度調整手段により、印刷装置を設置台に設置した状態における副走査方向（特定の方向）と搬送トレイの移動方向とを容易に一致させることが可能である。
【００１３】
さらに、角度調整手段においては、移動方向制限部を設置した結果、搬送トレイの移動方向が調整される構成であっても良いし、移動方向制限部を設置する際に搬送トレイの移動方向を調整可能な構成であっても良い。
【００１４】
前者としては、例えば、移動方向制限部に２カ所以上の穴を形成する構成とし、角度調整手段が、これらの穴のそれぞれに対して挿入される挿入部であって、特定の方向に平行な方向に延びる２以上の挿入部を備える構成を採用しても良い。この構成によれば、移動方向制限部の穴に挿入部を挿入して移動方向制限部を設置台に設置した結果、印刷装置における副走査方向と搬送トレイの移動方向とが一致するように調整される。
【００１５】
後者としては、例えば、角度調整手段が、移動方向制限部に形成された穴に対して挿入される挿入部であって、第２設置部に印刷装置が設置された状態における当該印刷装置の副走査方向および主走査方向に対して垂直な方向に延びる挿入部と、移動方向制限部の挿入部に対する回転角を任意の角度に設定して固定する固定手段とを備える構成を採用しても良い。すなわち、動方向制御部の穴に対して挿入部を挿入した状態で当該移動方向制限部は、挿入部を軸にして回転可能な状態となる。また、固定手段においては、移動方向制限部の回転角を任意の回転角に設定して固定することが可能であるため、移動方向制限部の回転角を所望の回転角に調整して移動方向制限部を設置台に対して固定することが可能である。この構成により、印刷装置における副走査方向と搬送トレイの移動方向とが一致するように容易に調整することが可能になる。なお、移動方向制限部の回転角の再現性を向上させるために、移動方向制限部の回転角や移動方向制限部と印刷装置との相対関係を計測するための計量器を備える構成としても良い。
【００１６】
さらに、搬送補助装置が、印刷媒体に対する記録剤の記録位置精度を高める構成を備えていても良い。例えば、印刷媒体が複数の凹凸を形成するレンチキュラーレンズである場合、例えば、印刷媒体は、複数の凸レンズを備えるレンズ面と当該レンズ面に対向する平面とを有するレンズシートを印刷用紙に接合することによって構成される。すなわち、レンズシートの平面と印刷用紙の平面とを接合することにより、印刷媒体の一方の面がレンズ面、他方の面が印刷用紙となるように構成することによってレンチキュラーレンズを有する印刷媒体を構成することができる。さらに、レンチキュラーレンズのレンズ面においては、複数の凸レンズが一方の方向に対して平行に延びるとともに、当該凸レンズが延びる方向に対して直交する方向には所定の周期で凸レンズが並んでいる。
【００１７】
また、レンチキュラーレンズは、印刷媒体に印刷された画像を立体的に見せる視覚効果や、印刷媒体に印刷された画像を見る角度によって変化させる視覚効果や、印刷媒体に印刷された画像を動画のように見せる視覚効果などがある。これらの視覚効果を確実に実現するためには、凸レンズが延びる方向に対して直交する方向における凸レンズの周期に合わせて画像を正確な位置に印刷することが必要である。すなわち、印刷媒体に対して印刷される画像が凸レンズの周期と同じ周期で構成され、かつ、凸レンズが延びる方向に対して直交する方向において凸レンズに同期して画像が形成される必要がある。具体的には、凸レンズが延びる方向に対して直交する方向における一つの凸レンズの端から端に対応する位置に一周期の画像の端から端が対応するように画像が印刷されている場合には適正な画像が視認される。一方、凸レンズが延びる方向に対して直交する方向における一つの凸レンズの端に対応する位置と一周期の画像の端が印刷される位置が異なる場合には適正な画像が視認されない。
【００１８】
但し、予め決められた位置に予め決められた画像が印刷されることが理想であるものの、レンチキュラーレンズは所定の周期で凸レンズが並ぶレンズであるため、仮に凸レンズが延びる方向に対して直交する方向における一つの凸レンズの端に対応する位置と一周期の画像の端が印刷される位置とが、凸レンズの周期だけずれて印刷されていたとしてもさほど視覚効果は変わらない。そこで、レンチキュラーレンズを有する印刷媒体を印刷するために、搬送トレイに形成する凸部同士の距離をレンチキュラーレンズによって形成された凹部同士の距離の整数倍となるように構成する。この構成によれば、搬送トレイ上の凸部に対してレンチキュラーレンズによって形成された凹部を合わせるように印刷媒体を載置することで、レンチキュラーレンズの凸レンズが延びる方向に対して直交する方向における凸レンズの端が必ず特定の位置となるように位置決めすることができる。このため、当該特定の位置が一周期の画像における端の位置に一致するように印刷装置を制御すれば、レンチキュラーレンズによって適正な画像を視認することができるように正確に画像を印刷することが可能である。
【００１９】
さらに、より正確に搬送トレイが搬送されるように構成してもよい。例えば、平板状の搬送トレイにおいて、うら面に搬送トレイの移動方向と平行な方向に延びる突起が形成される構成とする。また、移動方向制限部においては、当該うら面に対向する面に、搬送トレイの移動方向に平行な方向に延びるとともに当該突起に係合する溝が形成される構成とする。この構成によれば、搬送トレイのうら面の突起と移動方向制限部の溝との係合によって、搬送トレイの移動方向が上述の直線方向となるように補助される。従って、上述の直線方向に制限された移動方向に沿ってより正確に搬送トレイが搬送されるように構成することが可能である。
【図面の簡単な説明】
【００２０】
【図１】（１Ａ）は搬送補助装置を副走査方向および主走査方向に垂直な方向から眺めた図、（１Ｂ）は搬送補助装置を副走査方向に垂直および主走査方向に平行な方向から眺めた図、（１Ｃ）は移動方向制限部および印刷装置を設置台に設置する様子を示す図である。
【図２】（２Ａ）はレンチキュラーレンズおよび搬送補助装置の断面図、（２Ｂ）（２Ｃ）はレンチキュラーレンズの断面図である。
【図３】（３Ａ）（３Ｂ）はレンチキュラーレンズおよび搬送補助装置の断面図、（３Ｃ）は搬送補助装置を副走査方向および主走査方向に垂直な方向から眺めた図である。
【図４】（４Ａ）は搬送補助装置を副走査方向および主走査方向に垂直な方向から眺めた図、（４Ｂ）は搬送補助装置を副走査方向に垂直および主走査方向に平行な方向から眺めた図である。
【発明を実施するための形態】
【００２１】
ここでは、下記の順序に従って本発明の実施の形態について説明する。
（１）搬送補助装置の構成：
（２）印刷処理：
（３）他の実施形態：
【００２２】
（１）搬送補助装置の構成：
図１Ａは本発明の一実施形態にかかる搬送補助装置１０に対して印刷装置２０を設置した状態において当該搬送補助装置１０をｚ軸に平行な方向から眺めた状態を示し、図１Ｂは搬送補助装置１０に対して印刷装置２０を設置した状態において当該搬送補助装置１０をｙ軸に平行な方向から眺めた状態を示している。なお、搬送補助装置１０は後述する設置台１０ｃを備えるとともに設置台１０ｃの下部は平板状の直方体１０ｃ３によって構成されている。そして、ｚ軸は当該平板状の直方体１０ｃ３の最も大きな平面に対して垂直な方向であり、ｘ軸はｚ軸に対して垂直であるとともに当該平板状の直方体１０ｃ３の一側面に対して平行な方向であり、ｙ軸はｚ軸に対して垂直であるとともに当該平板状の直方体１０ｃ３の他の側面に対して平行な方向である。
【００２３】
本実施形態において、搬送補助装置１０は、搬送トレイ１０ａと移動方向制限部１０ｂと設置台１０ｃとを備えている。搬送トレイ１０ａは、レンチキュラーレンズを有する印刷媒体を搬送するトレイであり、平板状の部材によって構成されている。当該搬送トレイ１０ａには、そのおもて面（移動方向制限部１０ｂと逆側の面）に複数の凸部１０ａ１が形成されている。凸部１０ａ１は半球状の突起であり、搬送トレイ１０ａのおもて面において、ｘ軸およびｙ軸に対して平行な方向に周期Ｌで並ぶように配置されている。印刷媒体に対して印刷を行う際には、搬送トレイ１０ａのおもて面に印刷媒体を載置し、搬送トレイ１０ａとともに印刷媒体を搬送することになるが、この際に、複数の凸部１０ａ１がレンチキュラーレンズによって形成された凹部に対して嵌められることになる。
【００２４】
移動方向制限部１０ｂは、搬送トレイ１０ａが取り付けられるとともに当該搬送トレイ１０ａの移動方向を直線方向に制限する機能を有している。本実施形態においてはリニアガイドによって搬送トレイ１０ａの移動方向を直線方向に制限する構成としている。すなわち、移動方向制限部１０ｂは、略直方体の筐体を備えており、当該筐体内にｘ軸に平行な方向に向かって延びる直線状の部位１０ｂ１が取り付けられている。また、当該直線状の部位１０ｂ１には当該直線状の部位１０ｂ１に沿って移動可能な移動部１０ｂ２が取り付けられている。また、移動方向制限部１０ｂの筐体の上面（搬送トレイ１０ａが載置される面）にはｘ軸に平行な方向に延びる矩形の穴１０ｂ３が形成されている。当該穴１０ｂ３の開口部は長方形であるとともに各辺がｘ軸あるいはｙ軸に平行であり、当該ｙ軸に平行な辺によって移動部１０ｂ２の可動範囲を規定している。
【００２５】
すなわち、移動部１０ｂ２の上部はｘ−ｙ平面に水平な方向の断面が矩形となるように構成されており、当該上部が穴１０ｂ３の上方の開口部よりも上に位置するように配置され、当該移動部１０ｂ２の上部が搬送トレイ１０ａのうら面に接合される。また、移動部１０ｂ２のｙ軸方向の幅は穴１０ｂ３の開口部のｙ軸方向の幅より僅かに小さくなっている。従って、移動部１０ｂ２は、穴１０ｂ３内において開口部の一方の短辺から他方の短辺までｘ軸方向に平行な方向に移動可能であり、移動部１０ｂ２とともに移動する搬送トレイ１０ａの移動方向をｘ軸方向に平行な方向に制限することが可能である。
【００２６】
設置台１０ｃは、移動方向制限部１０ｂが設置される第１設置部と印刷装置２０が設置される第２設置部とを備えている。すなわち、設置台１０ｃは、平板状の直方体１０ｃ３と当該平板状の直方体１０ｃ３の最も大きな平面からｚ軸方向に延びる第１設置部とを備え、さらに、ねじ穴によって構成された第２設置部を備えている。
【００２７】
第１設置部は、直方体の部材１０ｃ１と当該直方体の部材１０ｃ１の一面に対して取り付けられた挿入部１０ｃ２とによって構成される。また、直方体の部材１０ｃ１は、直方体の部材１０ｃ１を構成する二面がｘ−ｙ平面に平行であり、他の二面がｙ−ｚ平面に平行であり、さらに他の二面がｚ−ｘ平面に平行に向くように平板状の直方体１０ｃ３に対して取り付けられている。なお、本実施形態において、直方体の部材１０ｃ１は平板状の直方体１０ｃ３のｙ軸方向の両端に取り付けられており、直方体の部材１０ｃ１が取り付けられた位置を基準としてｘ軸方向の一方側に移動方向制限部１０ｂを設置するように構成され、他方側には印刷装置２０を設置する第２設置部が構成されている。
【００２８】
挿入部１０ｃ２は、円柱状の部材であるとともに当該円柱の軸がｘ軸方向に平行な方向を向くとともに、当該挿入部１０ｃ２は印刷装置２０を設置する第２設置部と逆側に向けて延びるように直方体の部材１０ｃ１に対して取り付けられている。さらに、移動方向制限部１０ｂの筐体においては、ｘ軸方向の一方側の端部を構成するｙ−ｚ平面に平行な平面の２カ所に挿入部１０ｃ２の径よりも僅かに大きな径の筒状の穴１０ｂ４が形成されている（図１Ｃ参照）。従って、図１Ｃに二点鎖線の折れ線で示すように、当該筒状の穴１０ｂ４を挿入部１０ｃ２に合わせながら挿入部１０ｃ２を筒状の穴１０ｂ４に挿入し、移動方向制限部１０ｂを設置台１０ｃに設置することが可能である。ここで、移動方向制限部１０ｂにおいては、当該筒状の穴１０ｂ４が延びる方向と、直線状の部位１０ｂ１および穴１０ｂ３が延びる方向とが平行になるように構成されている。従って、移動方向制限部１０ｂを設置台１０ｃに設置した状態にすることによって搬送トレイ１０ａの移動方向をｘ軸に平行な方向に制限することになる。
【００２９】
なお、挿入部１０ｃ２はｘ軸方向に延びる円柱状の部材であるとともに、設置台１０ｃにおいては２カ所の位置に直方体の部材１０ｃ１（および挿入部１０ｃ２）が形成されている。さらに、移動方向制限部１０ｂにおいては、ｘ軸方向の一方側に張出部１０ｂ５が形成されており、移動方向制限部１０ｂを設置台１０ｃに設置した状態において当該張出部１０ｂ５の下面と直方体の部材１０ｃ１の上面とが接触するように構成されている。さらに、移動方向制限部１０ｂの下面は平面であって、移動方向制限部１０ｂの下面と平板状の直方体１０ｃ３の上面とが接触した状態で、移動方向制限部１０ｂが設置台１０ｃに設置されるように構成されている。すなわち、張出部１０ｂ５と直方体の部材１０ｃ３とで直方体の部材１０ｃ１を挟むように移動方向制限部１０ｂが設置台１０ｃに設置されるように構成されている。従って、当該挿入部１０ｃ２を移動方向制限部１０ｂに形成された筒状の穴１０ｂ４に対して挿入して移動方向制限部１０ｂを設置することにより、移動方向制限部１０ｂがｘ軸方向に対して傾斜する方向にずれることを防止することができる。この結果、搬送トレイ１０ａの移動方向を正確に規定することが可能である。なお、挿入部１０ｃ２および当該挿入部１０ｃ２が挿入される筒状の穴１０ｂ４の形状は円柱状および筒状に限定されない。すなわち、ｘ軸方向に平行な方向に延びる軸を持つ他の形状であっても良く、四角柱や三角柱の挿入部と当該挿入部に対応する穴を構成してもよい。むろん、挿入部１０ｃ２によって移動方向制限部１０ｂの設置角を調整した状態を確実に維持するために、ねじ等によって移動方向制限部１０ｂと設置台１０ｃとの固定を補助する構成としても良い。
【００３０】
本実施形態において、第２設置部は、平板状の直方体１０ｃ３に形成されたねじ穴１０ｃ４によって構成される。すなわち、本実施形態において、印刷装置２０の下部には筐体の下面から下方に延びる４カ所の足部２０ｃが取り付けられており、当該足部２０ｃの底にはねじ穴が形成されている。従って、印刷装置２０を平板状の直方体１０ｃ３に載置した状態で足部２０ｃのねじ穴および直方体の部材１０ｃ１に形成されたねじ穴１０ｃ４を利用して印刷装置２０を設置台１０ｃ上に固定することができる。
【００３１】
なお、印刷装置２０においては、印刷ヘッド２０ａを所定の直線方向に往復動させながら印刷ヘッド２０ａから記録剤であるインクを吐出して印刷媒体に画像を印刷する。本実施形態においては、当該印刷ヘッド２０ａの移動方向を主走査方向と呼ぶ。また、印刷装置２０は、筐体内に複数のローラー２０ｂを備えており、これらのローラー２０ｂの中の少なくとも一つに対して図示しないモーターの動力が伝達されることによって印刷媒体が搬送される。本実施形態においては、当該印刷媒体が搬送される方向を副走査方向と呼ぶ。なお、本実施形態において、ローラー２０ｂが延びる方向は印刷ヘッド２０ａの移動方向に平行な方向であるため、副走査方向は主走査方向に対して垂直である。また、印刷装置２０内において少なくとも印刷ヘッド２０ａの下方では印刷媒体が平面内を移動するように搬送される。本実施形態においては、当該印刷ヘッド２０ａの下方において印刷媒体が移動する平面を搬送平面と呼ぶ。なお、図１Ｂ、図１Ｃにおいては、搬送平面を一点鎖線によって示している。
【００３２】
本実施形態において、ねじ穴１０ｃ４は、印刷装置２０が設置台１０ｃ上に固定された状態において、印刷装置２０における副走査方向がｘ軸に配向し、かつ、搬送平面がｘ−ｙ平面と平行になるように構成されている。また、上述のように、移動方向制限部１０ｂが設置台１０ｃに対して設置されると、移動方向制限部１０ｂによって搬送トレイ１０ａを移動させる際の移動方向はｘ軸に平行な方向に制限される。従って、設置台１０ｃに対して移動方向制限部１０ｂと印刷装置２０とを設置した状態においては、搬送トレイ１０ａが印刷装置２０の副走査方向に平行な方向、かつ、搬送平面に対して平行な方向に対して正確に搬送される。
【００３３】
（２）印刷処理：
次に、以上の搬送補助装置１０を利用した印刷処理について説明する。図２Ａは、レンチキュラーレンズを有する印刷媒体Ｐに対して画像を印刷する様子を説明する図であり、当該図２Ａは、図１ＡのＡ−Ａ断面図である。同図２Ａに示すように移動方向制限部１０ｂの上面には搬送トレイ１０ａが載置された状態となっており、当該搬送トレイ１０ａのおもて面（上面）の凸部１０ａ１にはレンチキュラーレンズを有する印刷媒体Ｐにおいてレンチキュラーレンズによって形成された凹部が嵌められる。
【００３４】
レンチキュラーレンズは、そのレンズ面において、複数の凸レンズが一方の方向（図２Ａのように載置した場合においてはｙ軸およびｚ軸に垂直なｘ軸に平行な方向）に対して平行に延びるように構成されるとともに、当該凸レンズが延びる方向に対して直交する方向（図２Ａにおいてはｙ軸に平行な方向）には所定の周期で凸レンズが並ぶレンズである。本実施形態における印刷媒体Ｐは、印刷用紙の平面に対して当該レンチキュラーレンズが構成されたレンズシートが接合されることによって構成される。図２Ａにおいては、印刷用紙とレンズシートとの接合面を破線によって示している。
【００３５】
図２Ｂは、図２Ａから印刷媒体Ｐを抜き出すとともに凸レンズを上側にして示した図である。同図に示すように印刷媒体Ｐの一方の面には、高さが最大値Ｈmaxから最小値Ｈminまで変化する、断面が半円状の凸レンズが複数個形成されている。すなわち、印刷媒体Ｐにおいては、高さが最小値Ｈminから最大値Ｈmaxまで変化する複数の凸レンズが形成されており、同時に高さが最大値Ｈmaxから最小値Ｈminまで変化する複数の凹部Ｃが形成されている。上述のように、レンチキュラーレンズの凸部が所定の周期で形成されているため、凸部に伴って形成される凹部Ｃも所定の周期で形成される。図２Ｂにおいては当該所定の周期をＤとして示している。このように、一つの凸レンズの端から端までの距離は凹部同士の距離に等しく、周期Ｄである。
【００３６】
一方、搬送トレイ１０ａのおもて面に形成される凸部１０ａ１のｙ軸方向に平行な方向の周期はＬであり、周期Ｌは周期Ｄの整数倍に設定される。本実施形態においては、Ｌ＝２Ｄである。従って、印刷媒体Ｐの凹部Ｃのうち特定の凹部を凸部１０ａ１のいずれかに合わせるように嵌めると、他の凹部も凸部１０ａ１のいずれかに適合し、印刷媒体Ｐが主走査方向（ｙ軸に平行な方向）にずれないように位置決めすることができる。このため、搬送トレイ１０ａ上に印刷媒体Ｐを載置した状態で、印刷装置２０のローラー２０ｂにて搬送トレイ１０ａおよび印刷媒体Ｐを搬送して印刷を実行する（すなわち、レンズ面と逆側の面に記録剤を記録する）ことにより、印刷媒体Ｐが主走査方向にずれないように位置決めした状態で印刷を実行することが可能である。
【００３７】
さらに、凸部１０ａ１の周期Ｌが凹部Ｃの周期Ｄの整数倍に設定されているため、印刷媒体Ｐを搬送トレイ１０ａ上に載置するにあたり、印刷媒体Ｐに形成された凸レンズの端が必ずいずれかの凸部１０ａ１の頂点の上方に位置するように印刷媒体Ｐの配置を規制することができる。このため、ある印刷媒体Ｐに印刷を行った後、他の印刷媒体を搬送トレイ１０ａ上に載置する際に仮に印刷媒体Ｐの配置が主走査方向にずれた位置に配置した場合であっても、その位置のずれ量は必ず主走査方向に対して周期Ｄの整数倍となる。
【００３８】
このように、主走査方向に対する印刷媒体Ｐのずれが周期Ｄの整数倍となるように規制されると、レンチキュラーレンズによって適正な視覚効果を得るための画像を極めて容易に印刷することが可能になる。すなわち、レンチキュラーレンズは、印刷媒体に印刷された画像を立体的に見せる視覚効果や、印刷媒体に印刷された画像を見る角度によって変化させる視覚効果や、印刷媒体に印刷された画像を動画のように見せる視覚効果などがある。これらの視覚効果を実現するためには、凹部Ｃの周期Ｄ（凸レンズの周期）に合わせて画像を正確な位置に印刷することが理想とされる。
【００３９】
すなわち、印刷媒体に対して印刷される画像が凹部Ｃの周期Ｄと同じ周期で構成され、かつ、主走査方向（ｙ軸方向に平行な方向）において凸レンズに同期して画像が形成される状態が理想である。図２Ｃは、印刷媒体Ｐに印刷される画像を説明するための図である。同図２Ｃにおいては、印刷媒体Ｐに対する記録剤の記録面側に、画像の記録領域を矩形で示している。すなわち、レンチキュラーレンズにおいて、ｎ個（ｎは正の整数）の画像が角度に応じて視認されるようにするためには、例えば、ｎ個の画像を細分化するとともに各凸レンズの端から端までの間の領域をｎ個に細分化し、細分化された各領域に細分化された画像を配置することになる。
【００４０】
図２Ｃにおいては、画像１〜画像４の計４個の画像を視認可能にする場合の例を示している。この場合、各凸レンズの端から端までの間の領域が４個の領域に細分化される。また、図２Ｃに示す例においては、当該図２Ｃにおける凸レンズの左端に画像１を細分化した画像が印刷され、右隣に画像２を細分化した画像、さらに右隣に画像３を細分化した画像、さらに右隣に画像４を細分化した画像が印刷される。図２Ｃにおいては、印刷媒体Ｐの直上において矩形にて細分化された画像の印刷領域を示しており、各矩形の主走査方向（ｙ軸方向に平行な方向）の長さが細分化された領域の主走査方向の長さに相当する。
【００４１】
さらに、当該図２Ｃにおいては、各領域に印刷されるべき画像を１〜４の数値で示している。レンチキュラーレンズによって適正な視覚効果を得るためには、図２Ｃに示すような各領域の位置に細分化された画像が正確に記録されることが理想である。例えば、図２Ｃに示すような領域において、凸レンズの左端に対応する位置に画像２〜画像４が印刷されると適正な視覚効果が得られない。しかし、レンチキュラーレンズは周期Ｄで凸レンズが並ぶレンズであるため、主走査方向（ｙ軸方向に平行な方向）における一つの凸レンズの端に対応する位置Ｐ0に対して印刷されるべき画像が画像Ｉ0である場合に、仮に印刷位置が周期Ｄだけずれて画像Ｉ1が印刷されたとしてもさほど視覚効果は変わらない。すなわち、図２Ｃに示す例において、数値１と記載した領域に画像１を細分化した画像が印刷される限り、理想的な印刷位置から周期Ｄだけずれた位置に印刷が行われたとしてもさほど視覚効果は変わらない。
【００４２】
一方、本実施形態においては、上述のように、印刷媒体Ｐを搬送トレイ１０ａに配置する場合の主走査方向のずれが周期Ｄの整数倍になるように構成されている。このため、印刷媒体Ｐを載置する位置がずれたとしても、凸レンズの端は凸レンズの端が配置されるべき位置に配置される。例えば、図２Ｃに示す位置Ｐ0には必ず凸レンズの端が配置される。従って、印刷装置２０において決められた位置に画像が形成されるように印刷制御を行ったとしても、レンチキュラーレンズによる視覚効果を損なわれないように画像を印刷することが可能である。
【００４３】
（３）他の実施形態：
以上の実施形態は本発明を実施するための一例であり、設置台を利用して印刷装置の副走査方向と移動方向制限部１０ｂによる搬送トレイの搬送方向とを一致させることが可能である限りにおいて、他にも種々の実施形態を採用可能である。例えば、印刷媒体Ｐを搬送トレイ１０ａに載置する際の向きは、上述のように凸レンズが延びる方向がｘ軸に平行となるような向きに限定されない。すなわち、凸部１０ａ１は、図１Ａに示すようにｘ軸およびｙ軸に対して平行な方向に周期Ｌで並ぶように配置されているため、凸レンズが延びる方向がｙ軸に平行となるような向きに印刷媒体Ｐを配向させても良い。むろん、凸レンズが延びる方向がｘ軸およびｙ軸に対して傾いた向き（４５°傾いた向きなど）となるように印刷媒体Ｐを配向させても良い。
【００４４】
さらに、搬送トレイがより正確に搬送されるような構成を採用しても良い。図３Ａは、搬送トレイ１０ａおよび移動方向制限部１０ｂに対してより正確に搬送するための構成を追加した場合の一実施形態を示す図である。同図３Ａは、図２Ａと同様のＡ−Ａ断面図であり、図２Ａと同様な構成は同様の符号で示している。図３Ａに示す搬送トレイ１０１ａには、搬送トレイ１０ａと同様の構成に加え、そのうら面に搬送トレイ１０１ａの移動方向（ｘ軸方向）と平行な方向に延びる突起が形成されている。また、移動方向制限部１０１ｂには、移動方向制限部１０ｂと同様の構成に加え、搬送トレイ１０１ａのうら面に対向する面に、搬送トレイ１０１ａの移動方向（ｘ軸方向）に平行な方向に延びるとともに搬送トレイ１０１ａの突起に係合する溝が形成されている。
【００４５】
図３Ａに示す構成において突起や溝はレンズシートと同形状のシートによって構成されている。すなわち、搬送トレイ１０１ａのうら面には、印刷媒体Ｐを構成するレンズシートと同形状のシート１０１ａ２が取り付けられるとともに凸部が延びる方向がｘ軸と平行な方向を向くように構成されている。従って、図３Ａに示す例においては、シート１０１ａ２によって形成される凸部が上述の突起に相当する。また、移動方向制限部１０１ｂにおける搬送トレイのうら面に対向する面にも印刷媒体Ｐを構成するレンズシートと同形状のシート１０１ｂ２が取り付けられるとともに、凸部が延びる方向がｘ軸と平行な方向を向くように構成されている。従って、図３Ａに示す例においては、シート１０１ｂ２によって形成される凹部が上述の溝に相当する。なお、シート１０１ｂ２においては、移動方向制限部１０１ｂに形成された穴１０ｂ３の開口部と同形状の開口部となる穴１０１ｂ３が形成されており、移動部１０ｂ２がｘ軸に平行な方向に移動することが可能である。
【００４６】
以上のような構成によれば、搬送トレイ１０１ａのうら面においてシート１０１ａ２が形成する突起と、移動方向制限部１０１ｂの上面に取り付けられたシート１０１ｂ２が形成する溝との係合によって、搬送トレイの移動方向がｘ軸に平行な方向となるように補助される。従って、ｘ軸方向に平行な方向に沿ってより正確に搬送トレイが搬送される。このため、搬送トレイ１０１ａを副走査方向に沿って正確に搬送することが可能である。なお、シート１０１ａ２，１０１ｂ２はレンズシートであっても良い。
【００４７】
さらに、搬送トレイに形成される凸部１０ａ１は半球状の突起に限定されない。例えば、搬送トレイの移動方向に平行に延びる凸部によって構成してもよい。図３Ｂは、図３Ａに示す構成と同様の構成に対して凸部１０ａ１の代わりに搬送トレイの移動方向に平行に延びる凸部を追加した構成を示している。同図３Ｂは、図２Ａと同様のＡ−Ａ断面図であり、同図３Ｂに示すように、搬送トレイ１０２ａのおもて面には印刷媒体Ｐを構成するレンズシートと同形状のシート１０２ａ１が取り付けられるとともに凸部が延びる方向がｘ軸と平行な方向を向くように構成されている。従って、印刷媒体Ｐのレンズシートによって形成された凹部にシート１０２ａ１の凸部を嵌めることによってｙ軸方向に正確に位置決めをした状態で印刷媒体Ｐを搬送トレイ１０２ａ上に載置することが可能になる。むろん、凸部１０ａ１としては、他にも種々の形状を採用可能であり、搬送トレイ上に印刷媒体Ｐのレンズシートによって形成された凸部が嵌められる凹部が形成されていても良いし、三角錐や四角錐等の多角錐や円錐等で構成されていてもよい。
【００４８】
さらに、印刷媒体検出センサを備える印刷装置に対して本発明を適用しても良い。この場合、さらに、搬送トレイ上に印刷媒体検出センサによって検出される記号を記しておくことが好ましい。図３Ｃは、搬送トレイ上に当該記号を記した場合の構成例である。図３Ｃに示す例は搬送補助装置を図１Ａと同様な方向から眺めた状態で示しており、図１Ａと同様の構成については同じ符号で示している。図３Ｃに示す例は、印刷装置２０内に印刷媒体検出センサ２０ｄを備える点、搬送トレイ１０ａが黒色に着色されている点、搬送トレイ１０ａのおもて面に白色の記号１０３ａが記されている点で図１に示す構成と相違している。
【００４９】
より具体的には、印刷装置２０は白色の物体の存在を検出する印刷媒体検出センサ２０ｄを備えている。当該印刷媒体検出センサ２０ｄは、印刷装置２０における印刷媒体Ｐの搬送面よりｚ軸方向の上方に設置されており、印刷装置２０に搬送される印刷媒体のｙ軸方向の端部を含む所定範囲内が検出範囲となっている。すなわち、印刷装置２０においては、搬送面内で白色の物体が搬送される際に、白色の物体が印刷媒体検出センサ２０ｄの直下に存在する場合には当該白色の物体が搬送面内の所定位置に存在することを検出可能である。
【００５０】
搬送トレイ１０ａのおもて面には、搬送面のｙ軸に平行な方向の全幅に渡る白線の記号１０３ａが記されている。従って、搬送トレイ１０ａが搬送面上を搬送され、白線が印刷媒体検出センサ２０ｄの直下に達すると、印刷装置２０においては印刷媒体が搬送面内の所定位置に存在するとみなすことになる。本例において、印刷装置２０は、一旦図３Ｃの右側に搬送トレイ１０ａを搬送した後、搬送トレイ１０ａを図３Ｃの左側に搬送しながら印刷を行うように構成されている。また、レンズシートが取り付けられた印刷媒体Ｐに対して印刷する際には、印刷媒体Ｐの端部を記号１０３ａ上に合わせた状態で印刷媒体Ｐを搬送トレイ１０ａ上に載置するように決められている。
【００５１】
従って、搬送トレイ１０ａ上に印刷媒体Ｐを載置した状態で印刷を開始すると、印刷装置２０は、記号１０３ａによって印刷媒体Ｐの端部（ｘ軸方向の端部）を特定することが可能になる。さらに、記号１０３ａは搬送トレイ１０ａのｙ軸方向に平行な方向の全幅に渡って記されているため、印刷媒体検出センサ２０ｄは、記号１０３ａを検出することによって搬送トレイ１０ａのｙ軸方向の端部を検出することができる。そして、印刷媒体Ｐは、レンズシートが形成する凹部が凸部１０ａ１に嵌められるように位置決めされるため、印刷媒体Ｐを搬送トレイ１０ａに配置する場合の主走査方向のずれが周期Ｄの整数倍となる。このため、印刷装置２０において、印刷媒体検出センサ２０ｄによって特定された搬送トレイ１０ａのｙ軸方向の端部を基準とし、当該基準に基づいて、印刷媒体Ｐの凸レンズの端に対応する位置の周期を正確に特定することが可能である。従って、凸レンズの端に対応する位置に印刷されるべき画像を当該位置に対して正確に印刷することが可能である。
【００５２】
さらに、第１設置部に対して移動方向制限部を設置する際に搬送トレイの移動方向をより柔軟に調整可能な構成としても良い。例えば、設置台からｚ軸方向に延びる軸を構成し、当該軸を中心にした回転方向への移動方向制限部の角度調整を行うことができるように構成してもよい。図４Ａ，図４Ｂは当該角度調整を行えるように構成した実施形態を示す図であり、図４Ａは図１Ａと同様の方向、図４Ｂは図１Ｂと同様の方向から搬送補助装置を眺めた状態を示す図である。また、図４Ａ，図４Ｂにおいて、図１Ａ，図１Ｂと同様の構成については同様の符号を付して示している。
【００５３】
図４Ａ，図４Ｂに示す構成においては、設置台１０ｃの平板状の直方体１０ｃ３に直方体の部材１０ｃ１を取り付ける代わりに、ｙ軸方向の一方側の端部寄りに、円柱状の部材１０４ｃ１が取り付けられている。円柱状の部材１０４ｃ１はその軸がｚ軸と平行の方向を向くように設置台に取り付けられており、その上部には同軸で径がより小さい円柱状の部材１０４ｃ２が取り付けられている。また、設置台１０ｃの平板状の直方体１０ｃ３のｙ軸方向の他方側の端部寄りには、上部に薄い板状の部位１０４ｃ４が取り付けられた直方体の部材１０４ｃ３が取り付けられている。
【００５４】
一方、移動方向制限部１０ｂにおいては、円柱状の部材１０４ｃ２に対応する位置に当該円柱状の部材１０４ｃ２の径よりも僅かに大きい径の穴が形成されるとともに、当該円柱状の部材１０４ｃ２を穴に挿入した状態で円柱状の部材１０４ｃ１の周と移動方向制限部１０ｂの壁面とが接触しながら回転できるような切欠１０４ｂ４が形成されている。さらに、移動方向制限部１０ｂにおいては、板状の部材１０４ｃ４に対面するような板状の部材１０４ｂ５が取り付けられている。
【００５５】
さらに、板状の部材１０４ｃ４および板状の部材１０４ｃ５には、ねじ穴が形成されており、ねじＳを回転挿入することが可能である。従って、移動方向制限部１０ｂに形成された穴に対して円柱状の部材１０４ｃ２を挿入した状態でねじＳを板状の部材１０４ｃ４および板状の部材１０４ｃ５に対して回転挿入し、ねじＳの回転量を調整することにより、移動方向制限部１０ｂの、円柱状の部材１０４ｃ２に対する回転角を調整することが可能である。当該回転角の調整によれば、搬送トレイ１０ａをｘ−ｙ平面内に平行な面内に維持しながらｘ軸に対する搬送トレイ１０ａの向きを調整することが可能である。従って、容易に搬送トレイ１０ａの移動方向を印刷装置２０の副走査方向に一致させることができる。なお、この構成においては、ねじＳの挿入量や板状の部材１０４ｃ４と板状の部材１０４ｃ５との距離を計測する計測器（マイクロメーター等）や、板状の部材１０４ｃ４と板状の部材１０４ｃ５とを接近させる力を作用させるバネを両者に取り付けることにより、より正確に搬送トレイ１０ａの向きを調整可能に構成し、また、再現可能に構成してもよい。
【００５６】
さらに、上述の実施形態は、印刷媒体Ｐを構成するレンズがレンチキュラーレンズであったが、印刷媒体Ｐを構成するレンズが凹部あるいは凸部を形成するのであれば他のレンズ（例えば、フレネルレンズ、凹レンズや凸レンズが２次元的に配列されたレンズ、インテグラルフォトグラフィーを実現するためのレンズアレイ（例えば、凸レンズを蜂の巣状に配置したレンズ）等）であっても良い。さらに、上述の説明における凹凸の形状は、視点を変えることによって凹凸が逆になるように見ることも可能である。例えば、上述の実施形態において、レンズによって形成された凹部に対して搬送トレイに形成された凸部を嵌めることとして説明した構成について、レンズによって凸部が形成され、搬送トレイに形成した凹部に対してレンズの凸部を嵌めると見ることも可能である。
【符号の説明】
【００５７】
１０…搬送補助装置、１０ａ…搬送トレイ、１０ａ１…凸部、１０ｂ…移動方向制限部、１０ｃ…設置台、２０…印刷装置、２０ａ…印刷ヘッド、２０ｂ…ローラー、２０ｃ…足部
【図１】
0005625375.tif 000002
【図２】
0005625375.tif 000003
【図３】
0005625375.tif 000004
【図４】
0005625375.tif 000005